(57)【要約】【課題】　走行機体の後部に装着され、該走行機体から動力を受けて駆動する前処理体及び整畦体を備え、少なくとも前処理体の作業軸の作業角度を調節可能にする。【解決手段】　走行機体の後部に装着され、該走行機体から動力を受け、元畦の一部及び圃場を耕耘して元畦側に畦状に盛り上げる前処理体１４、及びこの前処理体１４により盛り上げられた土壌を回転しながら畦に成形するドラム状の整畦体１８を本体フレーム２に備えた畦塗り機１であって、本体フレーム２に対して左右に回動する平行リンク７，８を介して前処理体１４及び整畦体１８の伝動フレーム９を左右方向に移動可能に支持し、平行リンク７，８のうちの一方のリンク体７の長さを調節可能にした。平行リンク７，８のうちの一方のリンク体７を、伸縮調節可能なシリンダ構造７ａ〜７ｃとした。【選択図】図１
2004033222.tif 000002
【特許請求の範囲】
【請求項１】
　走行機体の後部に装着され、該走行機体から動力を受け、元畦の一部及び圃場を耕耘して元畦側に畦状に盛り上げる前処理体、及びこの前処理体により盛り上げられた土壌を回転しながら畦に成形するドラム状の整畦体を本体フレームに備えた畦塗り機において、
　前記本体フレームに対して左右に回動する平行リンクを介して前処理体及び整畦体の伝動フレームを左右方向に移動可能に支持し、前記平行リンクのうちの一方のリンク体の長さを調節可能として前処理体の作業角度を調節可能にしたことを特徴とする畦塗り機。
【請求項２】
　前記平行リンクのうちの一方のリンク体を、伸縮調節可能なシリンダ構造としたことを特徴とする請求項１記載の畦塗り機。
【発明の詳細な説明】
【技術分野】
【０００１】
　本発明は、走行機体の後部に装着され、該走行機体から動力を受けて駆動する前処理体及び整畦体を備え、少なくとも前処理体の作業角度を調節可能にした畦塗り機に関する。
【背景技術】
【０００２】
　従来、走行機体の後部に装着され、該走行機体から動力を受け、元畦の一部及び圃場を耕耘して元畦側に畦状に盛り上げる耕耘ロ−タ状の前処理体、及びこの前処理体により盛り上げられた土壌を回転しながら畦に成形するドラム状の整畦体を備えた畦塗り機が周知である。そして、前処理体の作業軸（耕耘軸）は、機体の移動方向に対しほぼ直交する方向を向いている。
【発明の開示】
【発明が解決しようとする課題】
【０００３】
　このため、前処理体により耕耘された土壌の多くは、機体の移動方向の後方に向け放擲され、この放擲された土壌をガイド板により元畦側に移動させていた。そのために、ガイド板を別に設ける必要があり、作業中に耕耘された土壌が元畦側に畦状に盛り上げられているか注意する必要があった。
　本発明は、このような問題点を解決することを目的になされたものである。
【課題を解決するための手段】
【０００４】
　上記の目的を達成するために本発明は、
Ａ．走行機体の後部に装着され、該走行機体から動力を受け、元畦の一部及び圃場を耕耘して元畦側に畦状に盛り上げる前処理体、及びこの前処理体により盛り上げられた土壌を回転しながら畦に成形するドラム状の整畦体を本体フレームに備えた畦塗り機において、
　前記本体フレームに対して左右に回動する平行リンクを介して前処理体及び整畦体の伝動フレームを左右方向に移動可能に支持し、前記平行リンクのうちの一方のリンク体の長さを調節可能として前処理体の作業角度を調節可能にしたことを特徴としている。
【０００５】
Ｂ．前記平行リンクのうちの一方のリンク体を、伸縮調節可能なシリンダ構造としたことを特徴としている。
【発明の効果】
【０００６】
ａ．前記Ａ．の構成により、前処理体の機体進行方向に対する作業角度が調節でき、前処理体により耕耘された土壌を確実に元畦に向け放擲することができる。そして、整畦体により適正な畦を成形し、また、良好な畦を仕上げることができる。
【０００７】
ｂ．前記Ｂ．の構成により、リンク体の伸縮調節操作を簡単に行うことができる。
【発明を実施するための最良の形態】
【０００８】
　以下、本発明を実施するための最良の形態について、添付の図面を参照しながら具体的に説明する。
【０００９】
　図１に示す本発明の実施例において、符号１は図示しないトラクタの後部に設けられたトップリンク及びロアリンクからなる三点リンク連結機構に連結されて、整畦作業を行う畦塗り機である。この畦塗り機１は、前部フレーム２に、前方に向け突出し、トラクタのＰＴＯ軸からユニバーサルジョイント及び伝動軸を介して動力を受ける入力軸（図示せず）を有する入力部３を設け、また、上方に突出するトップリンク連結部４を設けると共に、左右に支持アーム５，５を介してロアリンク連結部６，６を設け、トラクタの三点リンク連結機構に連結するようにしている。
【００１０】
　前部フレーム２の後部に前端が枢着された左右一対の平行リンク７，８の後端部に、本体フレームを兼ねる伝動フレーム９が枢着され、左右移動（オフセット）可能になっている。上記入力部３から後方に突出した出力軸（図示せず）から、両端にユニバーサルジョイントを装着した伝動軸１０を介して、伝動フレーム９の前側に設けた伝動ボックス１１に動力が伝達される。平行リンク７が伝動ボックス１１に枢着された位置と平行リンク８との間にオフセット量調節用電動シリンダ１２が介装され、その伸縮により伝動フレーム９、後述する前処理体１４及び整畦体１８のオフセット量が調節可能となっている。
【００１１】
　伝動ケース９の一側（図面で右側）には、前方に延びる伝動ケース１３を介して、元畦の一部及び圃場を耕耘して畦状に盛り上げるロータリ耕耘装置からなる前処理体１４が支持されている。この前処理体１４は、左右方向に延びる耕耘軸（作業軸）１５の外周に多数の耕耘爪１６を取付けている。また、この前処理体１４の後方に、伝動ケース１７を介して、前処理体１４により耕耘された土壌を畦に成形する多角円錐状ドラムからなる整畦体１８が設けられている。この整畦体１８の回転中心部の外側部には、水平筒状体１９が一体的に設けられ、整畦体１８と共に回転して、整畦体１８により成形された畦の頂部を平らに成形するようにしている。
【００１２】
　ここで本発明においては、前記平行リンク７，８のうちの一方の平行リンク７を、シリンダ部７ａとピストン部７ｂにより縮伸可能に構成し、伸縮調節部７ｃにより伸縮位置に固定するようにしている。そして、平行リンク７の伸縮作動により、機体の進行方向に対する伝動ケース９、前処理体１４の耕耘軸１５、整畦体１８及び水平筒状体１９の回転軸の作業角度が調節され、特に、前処理体１４の耕耘軸１５においては耕耘された耕耘土の放擲方向が調整されて、耕耘土を元畦の方向に向けて放擲することが可能になる。
【００１３】
　伝動ケース９の他側（図面で左側）には、三角ディスク状のゲージホイール２０が上下調節支持部２１により上下調節可能に支持されている。このゲージホイール２０は、上下調節支持部２１により上下調節することにより、畦塗り機１の接地高さが調節されて、処理体１４及び整畦体１８の作用深さが調節されて、形成される畦の高さを変えることができる。
【００１４】
　上記整畦体１８は、回転軸に対して偏心して取付けられ、その偏心量（振れ幅）が調節可能となっている。また、整畦体１８は、多角円錐状ドラムからなり、この多角円錐状ドラムが偏心回転することにより、多角の稜線と平面部が偏心しながら回転して畦法面を叩いて固く整畦し、水平筒状体１９により畦頂部を平面状に成形することにより新しい畦を完成させるようにしている。
【００１５】
　このような構成の畦塗り機１においては、トラクタの後部に三点リンク連結機構を介して連結され、トラクタから入力部３に動力を受けて伝動軸１０を介して伝動ボックス１１に伝達し、伝動フレーム９から伝動ケース１３及び１７を介して前処理体１４及び整畦体１８、水平筒状体１９を駆動してトラクタの走行と共に整畦作業を行う。前処理体１４及び整畦体１８の作用深さを深く（整畦高さを高く）するときは、上下調節支持部２１によりゲージホイール２０を上方に上げ、前処理体１４及び整畦体１８の作用深さを浅く（整畦高さを低く）するときは、上下調節支持部２１によりゲージホイール２０を下方に下げる。
【００１６】
　前処理体１４及び整畦体１８のオフセット量を調節するときは、オフセット量調節用電動シリンダ１２の伸縮により平行リンク７，８が移動して伝動フレーム９、前処理体１４及び整畦体１８を所定量オフセットさせる。前処理体１４及び整畦体１８の作業軸（前処理体１４における耕耘軸１５）の機体進行方向に対する作業角度を変え、前処理体１４による耕耘土壌の放擲方向を変更するときは、平行リンク７の長さを調節することにより行う。即ち、シリンダ部７ａに対してピストン部７ｂを縮伸作動して伸縮調節部７ｃにより伸縮位置に固定することにより行う。
【００１７】
　前処理体１４では元畦の一部及び圃場を耕耘して元畦側に対して畦状に盛り上げ、その耕耘された土壌を整畦体１８の多角円錐状ドラムの多角の稜線と平面部が偏心しながら回転して畦法面を叩いて目的とする畦に成形する。この実施例では、前処理体１４及び整畦体１８の作業軸（前処理体１４における耕耘軸１５）の機体進行方向に対する作業角度を同時に変えるようにしているが、前処理体１４における耕耘軸１５のみの作業角度を変えるようにしてもよい。
【産業上の利用可能性】
【００１８】
　本発明の構成により、前処理体の作業角度が容易に調節可能となり、前処理体により耕耘された土壌を元畦に向けて適正に盛り上げることができる畦塗り機を提供できる。
【図面の簡単な説明】
【００１９】
【図１】本発明による畦塗り機の平面図である。
【符号の説明】
【００２０】
　１　　畦塗り機
　２　　前部フレーム
　３　　入力部
　４　　トップリンク連結部
　５　　支持アーム
　６　　ロアリンク連結部支持フレーム
　７，８　平行リンク　７ａ　シリンダ部　７ｂ　ピストン部　７ｃ　伸縮調節部
　９　　伝動フレーム
　１０　伝動軸
　１１　入力部
　１２　オフセット量調節用電動シリンダ
　１３，１７，２３　伝動ケース
　１４　前処理体
　１５　耕耘軸（作業軸）
　１６　耕耘爪
１８　整畦体（多角円錐状ドラム）
　１９　水平筒状体
　２０　ゲージホイール
　２１　上下調整装置
【図１】
2004033222.tif 000003